(57)【要約】【課題】  内層ダクトを上昇してきた冷気流が、仕切部材と区画壁間とから外層吹出口側に漏出する不都合を解消することができるオープンショーケースを提供する。【解決手段】  外層吹出口１７と内層吹出口１６間に位置して区画壁４０に取り付けられ、区画壁４０から下方に延在する仕切部材４５と、区画壁４０の前縁に折曲形成された起立壁４０Ｂとを備え、仕切部材４５は、前側より起立壁４０Ｂの上縁に係合する係合部４９と、係合部４９が起立壁４０Ｂの上縁に係合した状態で、起立壁４０Ｂに連続する区画壁４０の前部４０Ａ下面に密着する固定部４７とを有し、固定部４７が区画壁４０に密着した状態で、ネジ６０により固定部４７が区画壁４０に固定される。【選択図】図３
2007260223.tif 000002
【特許請求の範囲】
【請求項１】
前面に開口を有した断熱壁内に内壁を配設し、両壁間に区画壁を設けて前記断熱壁と区画壁間の外層ダクト及び前記区画壁と内壁間の内層ダクトをそれぞれ形成すると共に、前記開口上縁に前記外層ダクト及び内層ダクトにそれぞれ連通する外層吹出口及び内層吹出口を前後に並設し、前記開口に外層の保護気流及び内層の冷気流による二重のエアーカーテンを形成してなるオープンショーケースにおいて、
前記外層吹出口と内層吹出口間に位置して前記区画壁に取り付けられ、該区画壁から下方に延在する仕切部材と、
前記区画壁の前縁に折曲形成された起立壁とを備え、
前記仕切部材は、前側より前記起立壁の上縁に係合する係合部と、該係合部が前記起立壁の上縁に係合した状態で、当該起立壁に連続する前記区画壁の前部下面に密着する固定部とを有し、該固定部が前記区画壁に密着した状態で、所定の固定具により当該固定部が前記区画壁に固定されることを特徴とするオープンショーケース。
【請求項２】
前記固定部の後端は、前記区画壁下面に食い込む形状を呈していることを特徴とする請求項１に記載のオープンショーケース。
【発明の詳細な説明】
【技術分野】
【０００１】
本発明は、商品の納出用に形成された前面開口を冷気流及び保護気流にて閉塞するオープンショーケースに関するものである。
【背景技術】
【０００２】
従来よりこの種のオープンショーケースは、特許文献１に示されるように断熱壁内に内壁と区画壁とによって保護気流が流通する外層ダクトと、冷気流が流通する内層ダクトとを形成し、断熱壁の開口上縁にそれぞれ形成された吹出口から断熱壁の前面開口に吹き出して、保護気流にて形成される保護エアーカーテンと、冷気流にて形成される冷気エアーカーテンを形成することにより、前面開口を閉塞している。
【０００３】
内層ダクトには、冷却器が配設されており、内層ダクト内の冷気流は所定の温度に冷却される。これにより、吹出口から吹き出された冷気流は開口からの外気の侵入を阻止すると同時に陳列室内を冷却する。一方、外層ダクトには、冷却器は配設されていないが、保護気流により形成される保護エアーカーテンは、冷気流にて形成される冷気エアーカーテンの外側において形成され、これにより、冷気エアーカーテンを保護し、陳列室内に外気が侵入することを阻止する。
【０００４】
ここで、図４を参照して従来のオープンショーケース１００について説明する。図４は従来のオープンショーケース１００の開口１０９上縁部分の拡大縦断側面図を示している。前方に開放して形成される断熱壁１０１は、内方に区画壁１０２が設けられ、当該断熱壁１０１と区画壁１０２間に外層ダクト１０３を構成し、区画壁１０２の内方に内壁１０４が設けられ、当該区画壁１０２と内壁１０４間に内層ダクト１０６を構成している。
【０００５】
そして、内層ダクト１０４には、冷却器及び送風機が配設されているため、当該冷却器を通過した冷気流が流れ、外層ダクト１０３には、冷却器は配設されておらず、送風機のみが配設されているため、保護気流が流れる。断熱壁１０１の開口上縁には、前側に位置して外層吹出口１０７が形成され、当該外層吹出口１０７は、外層ダクト１０３と連通している。そして、この外層吹出口１０７の後側には、内層吹出口１０８が形成され、当該内層吹出口１０８は、内層ダクト１０６と連通している。いずれの吹出口１０７、１０８には、整流用の図示しないハニカム材が取り付けられている。
【０００６】
これにより、内層吹出口１０８からは、内層ダクト１０６内の冷気流が吹き出されて、内側の冷気エアーカーテンを形成すると共に、外層吹出口１０７からは、外層ダクト１０３内の保護気流が吹き出されて、外側の保護エアーカーテンを形成し、これによって、断熱壁１０１の前面開口には、二重のエアーカーテンが形成される。
【０００７】
ここで、上記両吹出口１０７、１０７は、仕切部材１１０によって前後に区画形成される。仕切部材１１０の前面下部は、内方に向けて傾斜して形成されており、外層吹出口１０７から吹き出された保護気流を内方、即ち、陳列室側に指向する整流板としている。
【特許文献１】特開平５−３０６８７１号公報
【発明の開示】
【発明が解決しようとする課題】
【０００８】
上記の場合において、上記両吹出口１０７、１０８を仕切る仕切部材１１０は、区画壁１０２の前部１０２Ａ下面に宛われた状態でネジ１１１により固定されている。しかしながら、区画壁１０２の前部１０２Ａは成形不良や組立時の変形により、波打ってしまう場合がある。特に、区画壁１０２は、前面開口の左右に長手に渡って一枚の鋼板性材料にて形成されていることから、組立作業時において変形しやすい。そのため、仕切部材１０１と区画壁１０２の前部１０２Ａ間に隙間ができてしまう問題がある。
【０００９】
そのため、内層ダクト１０６を上昇して来た冷気流が、区画壁１０２の前部１０２Ａと仕切部材１１０間の隙間から外層ダクト１０３側に漏れ出してしまう不都合が生じる。外層ダクト１０３側に冷気流が漏れ出ることで、内層吹出口１０８から吹き出される冷気流が減少し、冷気エアーカーテンが乱れてしまう。これにより、陳列室の前面開口が冷気エアーカーテンによって適切に閉塞されないこととなり、陳列室内の冷却不良や仕切部材１１０の前面が冷却されることで、結露が発生する問題がある。
【００１０】
そこで、上記不都合を解消するため、従来では図５に示すように、仕切部材１１０と区画壁１０２の前部１０２Ａ下面間にシール材１１２を介して宛がうことで対処していた。しかしこれによっても、効果的に区画壁１０２と仕切板１１０との間に形成された隙間を閉塞することができず、内層ダクト１０６を上昇して来た冷気流は、区画壁１０２の前部１０２Ａと仕切部材１１０間の隙間から外層ダクト１０３側に漏れ出してしまっていた。
【００１１】
そこで、特許文献１に示されるオープンショーケースでは、当該隙間から漏れ出た冷気によって冷却されることで仕切部材１１０の前面に発生する結露を未然に抑制するため、当該仕切部材１１０にヒータを取り付けていた。
【００１２】
係る構成では、冷気の吹出部分において、加熱手段が設けられることとなるため、熱効率の問題や、配線接続が複雑化する問題がある。更には、部品点数の増加により、コストの高騰を招く問題があった。
【００１３】
そこで、本発明は従来の技術的課題を解決するためになされたものであり、内層ダクトを上昇してきた冷気流が、仕切部材と区画壁間とから外層吹出口側に漏出する不都合を解消することができるオープンショーケースを提供する。
【課題を解決するための手段】
【００１４】
本発明のオープンショーケースは、前面に開口を有した断熱壁内に内壁を配設し、両壁間に区画壁を設けて断熱壁と区画壁間の外層ダクト及び区画壁と内壁間の内層ダクトをそれぞれ形成すると共に、開口上縁に外層ダクト及び内層ダクトにそれぞれ連通する外層吹出口及び内層吹出口を前後に並設し、開口に外層の保護気流及び内層の冷気流による二重のエアーカーテンを形成してなるものであって、外層吹出口と内層吹出口間に位置して区画壁に取り付けられ、該区画壁から下方に延在する仕切部材と、区画壁の前縁に折曲形成された起立壁とを備え、仕切部材は、前側より起立壁の上縁に係合する係合部と、該係合部が起立壁の上縁に係合した状態で、当該起立壁に連続する区画壁の前部下面に密着する固定部とを有し、該固定部が区画壁に密着した状態で、所定の固定具により当該固定部が区画壁に固定されることを特徴とする。
【００１５】
請求項２の発明のオープンショーケースは、上記発明において、固定部の後端は、区画壁下面に食い込む形状を呈していることを特徴とする。
【発明の効果】
【００１６】
本発明によれば、前面に開口を有した断熱壁内に内壁を配設し、両壁間に区画壁を設けて断熱壁と区画壁間の外層ダクト及び区画壁と内壁間の内層ダクトをそれぞれ形成すると共に、開口上縁に外層ダクト及び内層ダクトにそれぞれ連通する外層吹出口及び内層吹出口を前後に並設し、開口に外層の保護気流及び内層の冷気流による二重のエアーカーテンを形成してなるオープンショーケースにおいて、外層吹出口と内層吹出口間に位置して区画壁に取り付けられ、該区画壁から下方に延在する仕切部材と、区画壁の前縁に折曲形成された起立壁とを備え、仕切部材は、前側より起立壁の上縁に係合する係合部と、該係合部が起立壁の上縁に係合した状態で、当該起立壁に連続する区画壁の前部下面に密着する固定部とを有し、該固定部が区画壁に密着した状態で、所定の固定具により当該固定部が区画壁に固定されるので、区画壁と仕切部材との間に隙間を形成することなく、該仕切部材によって外層吹出口と内層吹出口とを確実に区画することが可能となる。
【００１７】
これにより、内層ダクトを上昇してきた冷気流が、仕切部材と区画壁間から外層吹出口側に漏出する不都合を解消することが可能となる。そのため、内層ダクトを上昇してきた冷気流を適切に内層吹出口から吹き出すことが可能となり、これにより、前面開口を冷気エアーカーテンによって適切に閉塞することが可能となり、陳列室内の冷却不良を未然に回避することができる。
【００１８】
また、内層ダクト内の冷気流が仕切部材と区画壁間から外層吹出口側に漏出しないため、当該仕切部材の前面が冷却され、結露が発生する不都合を未然に解消することが可能となる。
【００１９】
請求項２の発明によれば、上記発明において、固定部の後端は、区画壁下面に食い込む形状を呈しているので、より一層固定部と区画壁下面との密着性を向上させることができ、より確実に外層吹出口と内層吹出口とを気密的に区画することが可能となる。
【発明を実施するための最良の形態】
【００２０】
次に、図面を参照して本発明の実施形態について詳述する。図１は本発明を適用したオープンショーケース１の斜視図、図２は図１のオープンショーケース１の縦断側面図をそれぞれ示している。
【００２１】
オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００２２】
オープンショーケース１の断熱壁２の内側には所定間隔を存して内壁４が取り付けられると共に、当該内壁４と断熱壁２との間にはそれぞれ間隔を存して区画壁４０が取り付けられ、内壁４と区画壁４０間には、内層ダクト４１が形成されると共に、区画壁４０と断熱壁２間には外層ダクト４２が形成されている。内壁４を構成する背部内壁１０の下端前方には、底板９が断熱壁２の底壁２Ａとの間にダクト用の間隔を存して取り付けられており、これら内壁４及び底板９の内側を陳列室１１としている。
【００２３】
また、この陳列室１１内には、高さ及び取付角度が変更可能であると共に、陳列室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯３６が配設されている。
【００２４】
断熱壁２の前面開口１２の上縁にはハニカム材１３、１４がそれぞれ取り付けられた内層吹出口１６及び外層吹出口１７が並設されており、これら内層吹出口１６及び外層吹出口１７は、内層ダクト４１及び外層ダクト４２にそれぞれ連通している。尚、内層吹出口１６及び外層吹出口１７は、区画壁４０の前端において、仕切部材４５によって区画形成されるが、係る構成の詳細な説明については後述する。他方、開口１２の下縁には、内層吸込口１８と外層吸込口１９が並設されている。尚、内層吹出口１６の陳列室１１側の天面内壁８には、陳列室１１内を上方から照明するための照明灯３９が設けられている。
【００２５】
一方、断熱壁２の下側前壁２Ｃは、下部が底壁２Ａの前端に渡って後退した後退部２Ｄとされており、当該後退部２Ｄは、底壁２Ａの前端と連続して構成される。係る前壁２Ｃの上面には、ショーケース１の開口１２下縁の全幅に渡って設けられるハンドレール本体２４と、当該ハンドレール本体２４に設けられるフロントガラス保持溝をフロントガラス不装着時に閉塞する上カバー２６と、当該ハンドレール本体２４の上端から前面を被覆する前面上パネル２５とから構成されるハンドレール２０が取り付けられている。そして、この前壁２Ｃの前面には、前面上パネル２５と連続するように前面下パネル２１が取り付けられ、後退部２Ｄの前面には前面下パネル２１と略面一となるようにバンパー２２が取り付けられる。尚、図中６５は、底壁２Ａの前端下方に設けられる前面パネルであり、６６はバンパー２２を前面パネル６５に保持するための下部保持板である。また６７は、後退部２Ｄの前面に位置して前面下パネル２１の下端支持やバンパー２２の補強、更には、当該オープンショーケース１を並設した際に、隣接するオープンショーケースとの連結に供される受け金具である。
【００２６】
他方、断熱壁２の天壁２Ｂ前端にはパネル３３が取り付けられており、このパネル３３の内方には、パネル３３の後方に位置して照明灯３７を取り付けるための照明灯反射板５０が取り付けられる。これにより、陳列室１１内は、上前方から照明灯３７にて照明される。また、断熱壁２の天壁２Ｂの前端には、下方に延出して前記外層吹出口１７の前側に位置して外層ダクト４２の前端を閉塞する吹出口外壁５２が取り付けられる。尚、この吹出口外壁５２は、下端が後側に折り返された図示しない係合部が形成されており、当該係合部によって、前記外層吹出口１７に取り付けられるハニカム材１４の前端が支持される。そして、この吹出口外壁５２の上面には、断熱壁２の天壁２Ｂの前端に位置して巻き取り式のナイトカバー５１が収容される。
【００２７】
次に、上述した如き内層吹出口１６及び外層吹出口１７を区画形成する仕切部材４５の構成について図３を参照して詳述する。図３は仕切部材４５を説明するための開口１２上縁部分の拡大縦断側面図を示している。尚、この図において、ハニカム材１３、１４は省略している。
【００２８】
本実施例における仕切部材４５が取り付けられる区画壁４０は、上述したように断熱壁２と内壁４の間において内層ダクト４１と外層ダクト４２とを区画形成するものであり、当該区画壁４０の内壁４側が内層ダクト４１、断熱壁２側が外層ダクト４２とされる。この区画壁４０の前端は、上方に向けて略直角に折曲された起立壁４０Ｂが形成されており、当該区画壁４０の前部は、前部４０Ａとする。
【００２９】
仕切部材４５は、硬質合成樹脂にて形成される板状部材であり、前記区画壁４０の下面に略沿って形成される上壁４６と、当該上壁４６から降下する仕切壁４８とが一体に形成される。
【００３０】
仕切部材４５の上壁４６は、前端に起立壁４０Ｂが形成された区画壁４０の当該起立壁４０Ｂとそれに連続する前部４０Ａの下面形状に略沿った断面略Ｌ字状を呈している。そして、この上壁４６の前上端には、後下に鋭角を成して突出した係合部４９が形成される。上壁４６の後部には、区画壁４０の前部４０Ａにネジ６０により固定するための図示しない固定孔が形成された固定部４７が形成されており、当該固定部４７の後端には区画壁４０方向に斜め後上方に向けて突出する食い込み部５３が形成される。
【００３１】
仕切部材４５の仕切壁４８の下端には、下方に向けて開口する係合溝（係合部）５４が形成されており、当該係合溝５４には、当該仕切部材４５の前側に位置して外層ダクト４２からの保護気流を整流するための整流板５５の係合部５６が挿入保持される。ここで、整流板５５とは、金属製の板状部材であり、上端が後方に折曲された断面略Ｌ字状を呈すると共に、下部は所定角度にて後方に向けて傾斜して形成される傾斜面５７が形成され、当該傾斜面５７の下端には、後側に折返し形状とされた上述した係合部５６が形成される。
【００３２】
係る構成により、当該仕切部材４５を区画壁４０の前部４０Ａに取り付ける際には、先ず、仕切部材４５の係合部４９を区画壁４０の起立壁４０Ｂの上縁に係合させ、係る当接部を中心に後方に回動させ、上壁４６を区画壁４０の前部４０Ａ下面に密着させる。この状態で、係合部４９は、区画壁４０の起立壁４０Ｂの上縁に係合されているため、容易にネジ６０によって、固定部４７を前部４０Ａに下からネジ止め固定する。
【００３３】
この状態で固定部４７は区画壁４０の前部４０Ａ下面に密着し、これによって、上壁４６の前部は起立壁４０Ｂの前面に密着する。そのため、区画壁４０の前部４０Ａが成形不良や組立時において変形して波打ってしまう場合であって、当該前部４０Ａの下面に上壁４６を密着して固定することができる。また、このとき、仕切部材４５の固定部４７の後端には区画壁４０方向に斜め後上方に向けて突出する食い込み部５３が形成されているため、当該固定部４７の後端は、係る食い込み部５３によって、区画壁４０の前部４０Ａ下面に食い込むような形状となり、前部４０Ａと固定部４７の後端は、隙間なく、気密的に密着する。
【００３４】
これによって、仕切部材４５は、安定して区画壁４０の前部４０Ｂに固定される。その後、当該仕切部材４５の下端に形成された係合溝５４に整流板５５の係合部５６を挿入係合し、当該整流板５５の上端に形成される上面を仕切部材４５の上壁４６下面に貼付する。このとき、整流板５５の上部前面は、起立壁４０Ｂの前面に密着して設けられた仕切部材４５の上壁４６の前面と略面一となる。
【００３５】
一方、底板９下方後部には断熱壁２の底壁２Ａ上に内層ダクト４１及び外層ダクト４２のそれぞれに対応する図示しない送風機が複数台設置されている。
【００３６】
背部内壁１０後方の内層ダクト４１内には冷却装置の図示しない冷却器が縦設されており、内層ダクト４１に対応した送風機が運転されると冷却器と熱交換した冷気流は内層ダクト４１内を上昇せられ、内層吹出口１６より内層吸込口１８に向かって吹き出される。そして、内層吸込口１８から吸い込まれた冷気は再び前記送風機によって加速される。これにより、前面開口１２には、冷気エアーカーテンが形成される。
【００３７】
他方、外層ダクト４２に対応した送風機が運転されると外層ダクト４２内の保護気流は外層ダクト４２内を上昇せられ、外層吹出口１７より外層吸込口１９に向かって吹き出される。そして、外層吸込口１９から吸い込まれた空気は再び前記送風機によって加速される。これによって、前面開口１２には、冷気エアーカーテンの外側に保護エアーカーテンが形成され、開口１２には前後二重のエアーカーテンが形成されることとなる。そして、内側の冷気エアーカーテンの一部が陳列室１１内に循環されて陳列室１１は冷却される。
【００３８】
この場合において、内層吹出口１６と外層吹出口１７とを区画する仕切部材４５は、上述した如く固定部４７が形成される上壁４６は、当該内層ダクト４１と外層ダクト４２とを区画形成する区画壁４０の前部４０Ａに密着した状態で、ネジ６０にて固定部４７が区画壁４０の下面に固定されているため、区画壁４０と仕切部材４５との間に隙間を形成することなく、仕切部材４５によって外層吹出口１７と内層吹出口１６とを確実に区画される。
【００３９】
これにより、内層ダクト４１を上昇してきた冷気流が、仕切部材４５の上壁４６と区画壁４０の前部４０Ａ間から外層吹出口１７側に漏出する不都合を解消することが可能となる。そのため、内層ダクト４１を上昇してきた冷気流を適切に内層吹出口１６から吹き出すことが可能となり、前面開口１２を冷気エアーカーテンによって適切に閉塞することが可能となる。これにより、陳列室１１内の冷却不良を未然に回避することができる。
【００４０】
また、内層ダクト４１内の冷気流が仕切部材４５の上壁４６と区画壁４０の前部４０Ａ間から外層吹出口１７側に漏出しないため、仕切部材４５の前面が冷却され、結露が発生する不都合を未然に解消することが可能となる。
【００４１】
特に、本実施例における仕切部材４５は、前端に起立して形成される区画壁４０の起立壁４０Ｂの前面が上壁４６の後面と密着して取り付けられると共に、当該上壁４６の後部に形成される固定部４７が区画壁４０の前部４０Ａ下面に密着して取り付けられるため、これら区画壁４０下面と仕切部材４５の上壁４６との間に隙間が形成されない構成とすることができる。
【００４２】
また、更に、仕切部材４５の固定部４７の後端には、区画壁４０下面に食い込む形状を呈した食い込み部５３が形成されているため、より一層固定部４７と区画壁４０下面との密着性を向上させることができ、より確実に外層吹出口１７と内層吹出口１６とを気密的に区画することが可能となる。これにより、区画壁４０下面と仕切部材４５の上壁４６との間から冷気が侵入することを確実に阻止することができる。
【００４３】
尚、本実施例における仕切部材４５は、上述したように硬質合成樹脂にて形成されるため、断熱性を有するため、係る仕切部材４５によって、外層吹出口１７と内層吹出口１６とを効果的に熱切りすることができる。
【図面の簡単な説明】
【００４４】
【図１】本発明を適用したオープンショーケースの斜視図である。
【図２】図１のオープンショーケースの縦断側面図である。
【図３】オープンショーケースの開口上縁部分の拡大縦断側面図である。
【図４】従来のオープンショーケースの開口上縁部分の拡大縦断側面図である。
【図５】従来のオープンショーケースの開口上縁部分の拡大縦断側面図である。
【符号の説明】
【００４５】
１    オープンショーケース
２    断熱壁
２Ｂ  天壁
４    内壁
１０  背部内壁
１１  陳列室
１２  開口
１３、１４  ハニカム材
１６  内層吹出口
１７  外層吹出口
１８  内層吸込口
１９  外層吸込口
４０  区画壁
４０Ａ  前部
４０Ｂ  起立壁
４１  内層ダクト
４２  外層ダクト
４５  仕切部材
４６  上壁
４７  固定部
４８  仕切壁
４９  係合部
５２  吹出口外壁
５３  食い込み部
５４  係合溝（係合部）
５５  整流板
６０  ネジ
【図１】
2007260223.tif 000003
【図２】
2007260223.tif 000004
【図３】
2007260223.tif 000005
【図４】
2007260223.tif 000006
【図５】
2007260223.tif 000007